(57)【要約】      （修正有）【課題】従来のヘアドライヤーと比較して乾燥効率を向上させ、消費電力を大幅に低減したヘアドライヤーを提供する。【解決手段】外部から吸引した空気を加熱して吹き出すヘアドライヤー１であって、空気を吸い込むための吸込口１３、及び空気を加熱した後に吹き出すための吹出口１６を有する本体部１０と、本体部の内部に設けられ、吸込口から吸引した空気を吹出口に送風するファン１５と、ファンにより送出された空気を加熱するヒーター１１と、空気の送風方向に対し、ヒーターよりも下流側に設けられ、かつ、少なくとも１つの貫通孔を有し、赤外線を放射するセラミックス部１２とを備える。ヒーター１１は、電熱線の表面にセラミックスコーティング層が設けられ、セラミックス部１２は、角閃石を含み構成され、吹出口から吹き出される温風は、赤外線を伴う。【選択図】図１
0003201802.tif 000002
【実用新案登録請求の範囲】
【請求項１】
外部から吸引した空気を加熱して吹き出すヘアドライヤーであって、
前記空気を吸い込むための吸込口、及び当該空気を加熱した後に吹き出すための吹出口を有する本体部と、
前記本体部の内部に設けられ、前記吸込口から空気を吸引し、前記吹出口に向けて送風するファンと、
前記ファンにより送出された空気を加熱するヒーターと、
前記空気の送風方向に対し、前記ヒーターよりも下流側に設けられ、かつ、少なくとも１つの貫通孔を有し、赤外線を放射するセラミックス部とを備え、
前記ヒーターは、電熱線の表面にセラミックスコーティング層が設けられ、
前記セラミックス部は、角閃石を含み構成されたものであり、
前記吹出口から吹き出される温風は、赤外線を伴うものであるヘアドライヤー。
【請求項２】
前記角閃石の含有量は、前記セラミックス部の全質量に対し、３質量％〜２０質量％の範囲内である請求項１に記載のヘアドライヤー。
【請求項３】
前記セラミックス部における前記貫通孔は、
前記セラミックス部の中央部に設けられた少なくとも１つの第１貫通孔と、
前記第１貫通孔を囲む様にハニカム状に設けられ、かつ、当該第１貫通孔よりも開口面積が小さい複数の第２貫通孔とからなる請求項１又は２に記載のヘアドライヤー。
【考案の詳細な説明】
【技術分野】
【０００１】
本考案は、ヘアドライヤーに関し、より詳細には、赤外線を伴う温風を生成させ、消費電力の低減が可能なヘアドライヤーに関する。
【背景技術】
【０００２】
従来のヘアドライヤーは、鉄クロム線やニクロム線のような熱線により加熱された熱風を利用して毛髪を乾燥させることができるように構成されている。例えば、一側に取手が備えられ、その前後側に吸込口と送出口が互いに対応するように形成された本体の内部に、駆動モーターにより駆動されるファンと、当該ファンの前方に配置される電熱線を装着して構成されている。そして、前記取手に装着された操作スイッチを操作して前記駆動モーターと熱線を作動させると、前記送出口から熱風を吹き出させることができる。
【０００３】
しかし、この様なヘアドライヤーは、熱風による対流加熱方式を利用して毛髪を乾かすため、毛髪の外部のみが熱風により加熱され、毛髪の内部まで十分に乾燥できないという問題点がある。また、毛髪の内部を乾かすために、高温の熱風を毛髪に長時間当てると、毛髪を熱により損傷させるという問題点がある。さらに、外部から取り込んだ空気を電熱線で加熱して熱風にするための効率も低いので、電気の消費量が大きいという問題点もある。
【０００４】
これらの問題点を解決するため、例えば下記特許文献１には、電熱線に対し空気の送風方向における下流側にセラミックス製ハニカム状構造体を備えた温風加熱器が開示されている。当該特許文献１に記載の発明であると、赤外線放射効率を高めることができるとされている。
【０００５】
一方、水や有機物質の多くは、一般に３μｍ以上の波長の遠赤外線帯域に吸収スペクトルのピークを有している。例えば、水は３μｍ、６μｍ及び１０μｍ以上の波長に、また人体は３μｍ、６〜１０μｍ及び１２μｍ以上の波長に、それぞれ吸収ピークがある。これは、それらの分子を構成している原子間の伸縮運動や変角運動等の振動運動に固有な振動数が、遠赤外線の振動数（１／波長）に一致しており、遠赤外線がその分子の振動に共鳴して吸収されることによる。この共鳴吸収により、遠赤外線は水や有機物質に効果的に吸収され、その振動運動を増幅し、それを発熱させる。毛髪についても同様のことがいえるため、当該毛髪を効率的に乾燥させるには、これらの波長域の赤外線が温風に含まれていることが好ましい。しかしながら、前記温風加熱器では、波長域が３μｍ〜５μｍの範囲の赤外線の照射が低いため、毛髪等の乾燥効率が低く、消費電力が大きいという課題がある。
【先行技術文献】
【特許文献】
【０００６】
【特許文献１】特開２００６−１１２７７１号公報
【考案の概要】
【考案が解決しようとする課題】
【０００７】
本考案は、従来のヘアドライヤーと比較して乾燥効率を向上させ、消費電力を大幅に低減したヘアドライヤーを提供することを目的とする。
【課題を解決するための手段】
【０００８】
本考案に係るヘアドライヤー用ノズルは、前記の課題を解決するために、外部から吸引した空気を加熱して吹き出すヘアドライヤーであって、前記空気を吸い込むための吸込口、及び当該空気を加熱した後に吹き出すための吹出口を有する本体部と、前記本体部の内部に設けられ、前記吸込口から空気を吸引し、前記吹出口に向けて送風するファンと、前記ファンにより送出された空気を加熱するヒーターと、前記空気の送風方向に対し、前記ヒーターよりも下流側に設けられ、かつ、少なくとも１つの貫通孔を有し、赤外線を放射するセラミックス部とを備え、前記ヒーターは、電熱線の表面にセラミックスコーティング層が設けられ、前記セラミックス部は、角閃石を含み構成されたものであり、前記吹出口から吹き出される温風は、赤外線を伴うものであることを特徴とする。尚、前記赤外線とは、可視光の長波長端の０．７６〜０．８３μｍを下限とし、上限は約１ｍｍまでの波長範囲の電磁波を意味する。
【０００９】
前記の構成に於いて、前記セラミックス部における前記貫通孔は、前記セラミックス部の中央部に設けられた少なくとも１つの第１貫通孔と、前記第１貫通孔を囲む様にハニカム状に設けられ、かつ、当該第１貫通孔よりも開口面積が小さい複数の第２貫通孔とからなることが好ましい。
【００１０】
また、前記の構成に於いて、前記角閃石の含有量は、前記セラミックス部の全質量に対し、３質量％〜２０質量％の範囲内であることが好ましい。
【考案の効果】
【００１１】
本考案は、前記に説明した手段により、以下に述べるような効果を奏する。
即ち、本考案のヘアドライヤーは、外部から吸引した空気を加熱するヒーターにおいて、その電熱線の表面にセラミックスコーティング層が設けられているので、吸込口から吸引された空気は、当該ヒーターで加熱された後、セラミックス部の貫通孔を通過することにより、赤外線を伴う温風となって吹出口より吹き出される。ここで、ヒーターは、電熱線の表面にセラミックスコーティング層が設けられた構造であり、セラミックス部には角閃石が含まれている。そのため、従来のヘアドライヤーと比較して、人体や水分の吸収ピークがある波長域を含む、約４μｍ以上の赤外線の全波長域において、高い放射率にて赤外線を生成させることができる。その結果、毛髪を効率的に乾燥させることができる。また、乾燥効率の向上により、温風を長時間毛髪に当てる必要もないので、毛髪の損傷も低減することができる。さらに、乾燥効率の向上が可能になったことにより、従来のヘアドライヤーと比較して、消費電力を大幅に低減させることができる。
【図面の簡単な説明】
【００１２】
【図１】本考案の実施の一形態に係るヘアドライヤーを表す断面模式成図である。
【図２】前記ヘアドライヤーにおけるセラミックス部を表す平面図である。
【図３】前記ヘアドライヤーから送出される赤外線の波長域と放射率の関係を表すグラフである。
【図４】本考案の他の実施の形態に係るヘアドライヤーの先端部を表す斜視図である。
【考案を実施するための形態】
【００１３】
（実施の形態１）
本実施の形態に係るヘアドライヤーについて、図１〜図３を参照しながら、以下に説明する。図１は、本実施の形態に係るヘアドライヤーを表す断面模式図である。図２は、前記ヘアドライヤーにおけるセラミックス部を表す平面図である。図３は、前記ヘアドライヤーから送出される赤外線の波長域と放射率の関係を表すグラフである。
【００１４】
本実施の形態に係るヘアドライヤー１は、図１に示すように、本体部１０及びグリップ（図示しない）を主に備える。
【００１５】
本体部１０は、外部から空気を吸い込むための吸込口１３と、当該空気を加熱した後に吹き出すための吹出口１６を有する。また、本体部１０の内部には、吸込口１３から吸引した空気を吹出口１６に送風するファン１５と、空気の送風方向に対し、ファン１５よりも下流側に設けられたヒーター１１と、空気の送風方向に対し、ヒーター１１よりも下流側に設けられたセラミックス部１２とを有する。
【００１６】
ヒーター１１は、本体部１０の筒長方向に沿って配置された支持板１１ａに電熱線１１ｂを巻き付けた構成を有している。電熱線１１ｂはニクロム線の表面にセラミックスコーティング層が設けられた構造を有している。これにより、吸い込み口から吸引された空気を単に加熱するだけでなく、赤外線を伴った温風とすることができる。
【００１７】
セラミックスコーティング層は、微粉末状のセラミックスを含む公知のコーティング塗布液をニクロム線に塗布し、その後、加熱炉等により加熱して焼き付けることにより形成される。焼き付けは、例えば、８０℃〜１００℃の範囲で一次加熱をした後に、２００℃〜３００℃の範囲で二次加熱する方法が好ましい。これにより、コーティング層がニクロム線から剥離するのを防止することができる。
【００１８】
セラミックスコーティング層の構成材料である前記セラミックスとしては特に限定されず、例えば、ＳｉＣ、ＳｉＯ２、Ｂ４Ｃ、ＡｌＮ、Ａｌ２Ｏ３、ＭｇＯ等が挙げられる。また、コーティング塗布液中の微粉末状のセラミックスの配合量は、全質量に対し１質量％〜２０質量％の範囲であることが好ましい。
【００１９】
セラミックス部１２は赤外線を放射する機能を有しており、加熱された空気及びヒーター１１による加熱によって赤外線を放射する。また、セラミックス部１２は、ヒーター１１よりも空気の送風方向に対し下流側に設けられている。
【００２０】
セラミックス部１２は、図２に示すように、外形が円柱状であり、平面視において複数の貫通孔１４が送風方向に対し開口する様に設けられている。貫通孔１４は、セラミックス部１２の中央部に設けられた３つの第１貫通孔１４ａと、当該第１貫通孔１４ａの周囲に設けられた複数の第２貫通孔１４ｂとからなる。
【００２１】
第１貫通孔１４ａの平面視における開口形状は扇形状であり、３つの第１貫通孔１４ａにより円形状となる様に配置されている。また、第２貫通孔１４ｂの平面視における開口形状は、六角形状でありハニカム構造となっている。但し、第１貫通孔１４ａの開口形状は扇形状の場合に限定されず、多角形状、円形状又は楕円形状であってもよい。また、第２貫通孔１４ｂの開口形状も六角形状の場合に限定されず、多角形状、円形状又は楕円形状であってもよい。
【００２２】
第１貫通孔１４ａの開口面積は第２貫通孔１４ｂの開口面積よりも大きくなっている。これにより、加熱された空気が、セラミックス部１２により不必要に阻害され、吹き出される風量（空気の量）が低下するのを防止できると共に、本体部１０の内部の温度が過度に上昇するのも抑制することができる。また、第１貫通孔１４ａの周囲に、開口面積が小さい複数の第２貫通孔１４ｂを設けるのは、加熱された空気との接触面積を大きくするためである。これにより、赤外線を伴う温風を効率良く生成することができる。
【００２３】
第１貫通孔１４ａ及び第２貫通孔１４ｂのそれぞれの最大径の値は特に限定されず、適宜必要に応じて設定することができる。また、第２貫通孔１４ｂの数についても適宜必要に応じて設定することができる。
【００２４】
セラミックス部１２は、セラミックス材料と角閃石とを少なくとも含有する。セラミックス材料としては特に限定されず、例えば、ＳｉＣ、ＳｉＯ２、Ｂ４Ｃ、ＡｌＮ、Ａｌ２Ｏ３、ＭｇＯ等が挙げられる。これらは適宜必要に応じて、単独で又は二種以上を混合して用いることができる。
【００２５】
角閃石は珪酸塩鉱物の一種であり、本実施の形態では、Ｘ２〜３Ｙ５Ｚ８Ｏ２２（ＯＨ、Ｆ）２（式中ＸはＣａ、Ｎａ、Ｍｎ、Ｆｅ又はＭｇであり、Ｙは、鉄（II）、Ｍｇ、鉄（III）、Ａｌであり、Ｚは、Ｓｉ、Ａｌである。）で表される組成のものが挙げられる。より具体的には、例えば、Ｍｇ−Ｆｅ−Ｍｎ−Ｌｉ斜方角閃石、Ｍｇ−Ｍｎ−Ｆｅ−Ｌｉ単斜角閃石、カンニロ閃石、エデン閃石、ヘスティング閃石、苦土普通角閃石、パーガス閃石、定永閃石、透閃石−緑閃石、ツェルマク閃石、ソーダ灰角閃石、カトフォラ閃石、リヒター閃石、タラマ閃石、ソーダ角閃石、アルベゾン閃石、エカーマン閃石、藍閃石、リーキ閃石、ニビョー閃石、リーベック閃石、リチウム角閃石、単斜リチア閃石、リチア閃石、ペドリザ閃石、ソーダ第二鉄単斜リチア閃石、直閃石、プロト直閃石、プロト鉄直閃石、プロトマンガノ鉄直閃石等が挙げられる。これらは適宜必要に応じて、単独で又は二種以上を混合して用いることができる。
【００２６】
角閃石の配合量は、セラミックス部１２の全質量に対し、３質量％〜２０質量％の範囲内であることが好ましく、３質量％〜１０質量％の範囲内であることがより好ましい。配合量を３質量％以上にすることにより、種々の波長域の赤外線の放射率を向上させることができる。その一方、配合量を２０質量％以下にすることにより、セラミックス部１２の強度が低下するのを防止することができる。
【００２７】
セラミックス部１２は、従来公知の方法により製造することができる。
【００２８】
ファン１５は、多翼ファン（シロッコファン）であり、外周部に複数のブレード１５ａが設けられた羽根車１５ｂを、渦型室１５ｃを形成しているケーシング１５ｄ内に配置した構造となっている。この羽根車１５ｂを回転させることにより、この羽根車１５ｂの軸方向であるケーシング１５ｄ側面に設けられた吸込口１３から吸い込んだ空気を、渦型室１５ｃ内において圧縮して圧力を高め、ケーシング１５ｄにおける羽根車１５ｂの軸方向と直交する方向に設けられた吹出口１６に向けて空気を送り出すことが可能となっている。
【００２９】
グリップは、電源オン・オフを制御する電源スイッチを有している。また、グリップは、「低温モード」を選択するためのスイッチや、風量を上げるためのターボ機能をオン・オフするスイッチを備えていてもよい。電源スイッチはオン・オフだけでなく、例えば、「クール」、「セット」、「ドライ」といった３種類のモードを備えており、「セット」と「ドライ」では、加熱された赤外線を伴う温風を吹き出すことができる。
【００３０】
以上の様な構成を有する本実施の形態のヘアドライヤー１は、従来の赤外線を伴う温風を吹き出すヘアドライヤーと比較して、乾燥効率を向上させることができ、消費電力を大幅に低減させることが可能である。すなわち、ファン１５により吸込口１３から吸引された空気は、ヒーター１１で加熱されると、赤外線を伴う温風を生成させることができる。具体的には、図３に示すように、約４μｍ以上の赤外線波長域において、赤外線放射率が０．８以上となる赤外線を伴う温風を生成することができる。特に、約４μｍ〜５μｍの波長域における赤外線放射率が約０．８５以上となっており、効率的に毛髪等を乾燥できることが分かる。
【００３１】
尚、赤外線放射率とは、試験体の赤外線放射量を約４μｍ〜１６μｍの波長域で測定し、標準（理想）黒体（赤外線放射率が１００％の物質）と対比させたときの比率で示したものである。そして、本実施の形態においては、以下に示す測定条件及び測定方法で測定したものである。
・試料の加熱温度（表面温度）  １００℃
・測定装置  日本電子(株)製フーリエ変換赤外分光光度計ＪＩＲ−１００（商品名）及び赤外放射測定ユニットＩＲ−ＩＲＲ１００（商品名）
・検量方法  ２点温度標準検量法
・標準黒体  ８０℃及び１６０℃
・積算回数  ２００回
・分解能    １６ｃｍ−１
【００３２】
また、ヒーター１１により生成された赤外線を伴う温風は、次にセラミックス部１２の第１貫通孔１４ａ及び第２貫通孔１４ｂを通過する。このときにも、新たな赤外線を伴う温風が生成される。セラミックス部１２で生成される赤外線は、図３に示すように、約５μｍ以上の波長域において、赤外線放射率が０．８以上となるものである。ヒーター１１で生成される赤外線では、波長域が約９μｍ〜１０μｍの領域において、赤外線放射率が０．９を下回るが、セラミックス部１２では、この領域の赤外線放射率が０．９以上となっている。その一方、セラミックス部１２で生成される赤外線では、波長域が約４μｍ〜５μｍの領域において、赤外線放射率が０．８を下回るが、ヒーター１１では、この領域の赤外線放射率が０．８５以上となっている。すなわち、ヒーター１１とセラミックス部１２は、それぞれ相補的に、所定の波長域の赤外線を生成している。尚、セラミックス部１２で生成される赤外線の赤外線放射率の測定方法及び測定条件は、ヒーター１１の場合と同様である。
【００３３】
一般に、水は３μｍ、６μｍ及び１０μｍ以上の波長に、また人体は３μｍ、６〜１０μｍ及び１２μｍ以上の波長に、それぞれ吸収ピークがある。この点に関し、本実施の形態のヘアドライヤー１は、人体や水等の吸収ピークとされている波長域のうち、６〜１０μｍ及び１２μｍ以上の波長域においても、高い放射率を維持しているので、毛髪の水分を効率的に乾燥させることができる。また、乾燥効率の向上により、熱風を長時間毛髪に当てる必要もないので、毛髪の損傷も低減することができる。さらに、乾燥効率の向上が可能になったことにより、従来のヘアドライヤーと比較して、消費電力を大幅に低減させることができる。
【００３４】
（その他の事項）
尚、本実施の形態においては、ヘアドライヤーとしてシロッコファンを例にして説明したが、本考案はこの態様に限定されない。例えば、軸流ファンや遠心ファン等の送風可能なファンを用いることも可能である。この場合、外部から空気を吸い込むための吸込口の取り付け位置は、適宜必要に応じて設定することができる。
【００３５】
また、本発明のヘアドライヤーは、例えば、図４に示すように、ブラシ毛２１を備えたヘアブラシにも適用可能である。図４は、本考案の他の実施の形態に係るヘアドライヤーの先端部を表す斜視図である。
【００３６】
同図に示すように、ヘアドライヤーは、筒状の本体部（図示しない）と、これに略同軸状に取り付けられる筒状のアタッチメント２０とを備えている。筒状の本体部とアタッチメント２０により、本考案における筒状のハウジングが構成される。
【００３７】
本体の内部には、前述の吸込口１３と、吸込口１３から吸引した空気を吹出口１６に送風するファン１５と、空気の送風方向に対し、ファン１５よりも下流側に設けられたヒーター１１と、空気の送風方向に対し、ヒーター１１よりも下流側に設けられたセラミックス部１２とが設けられている。
【００３８】
アタッチメント２０は、その軸線を境として一方側の曲面に、ブラシ毛２１が植設される植設面２２と、反対側の曲面に、非植設面２３とが設けられている。植設されるブラシ毛２１の種類は、特に限定されず、従来公知のものを採用することができる。ブラシ毛２１は、ハウジングの軸線方向に列をなして植設されている。
【００３９】
アタッチメント２０には、赤外線を伴う温風を吹き出すための吹出口２４ａ〜２４ｃが設けられている。図４に示すように、吹出口２４ａは植設面２２の中央に形成され、アタッチメント２０の軸方向に沿って長い開口となっている。また、吹出口２４ｂは、植設面２２において、本体部から遠い位置に設けられ、吹出口２４ｃは、植設面２２において本体部に近い位置にそれぞれ設けられている。このように吹出口２４ａ〜２４ｃが、ブラシ毛２１が植設されたアタッチメント２０の軸方向に沿って形成されているので、ブラッシングの際に毛髪に広く、赤外線を伴う温風を吹き付けることができる。
【符号の説明】
【００４０】
１  ヘアドライヤー
１０  本体部
１１  ヒーター
１１ａ  支持板
１１ｂ  電熱線
１２  セラミックス部
１３  吸込口
１４  貫通孔
１４ａ  第１貫通孔
１４ｂ  第２貫通孔
１５  ファン
１５ａ  ブレード
１５ｂ  羽根車
１５ｃ  渦型室
１５ｄ  ケーシング
１６  吹出口
２０  アタッチメント
２１  ブラシ毛
２２  植設面
２３  非植設面
２４ａ〜２４ｃ  吹出口
【図１】
0003201802.tif 000003
【図２】
0003201802.tif 000004
【図３】
0003201802.tif 000005
【図４】
0003201802.tif 000006